(57)【要約】【課題】エネルギーロスの少ない高効率な配光制御を可能とすることで、照明光境界接続部に段差の生じない広域照明装置を得、遠方から近傍までの領域における照度を均等に保った状態での照明を可能とする。【解決手段】複数のＬＥＤ光源が実装された基板２３と、基板２３上の第一のＬＥＤ光源２１を底部位置として配置され、該第一のＬＥＤ光源２１からの光を前記照明範囲に向けて反射する遠方照明用の第一凹面反射鏡２５と、第一のＬＥＤ光源２１に隣接する第二のＬＥＤ光源２１を底部位置として配置され、該第二のＬＥＤ光源２１からの光を前記照明範囲に向けて反射する近傍照明用の第二凹面反射鏡２７と、を備え、第二凹面反射鏡２７は、第一凹面反射鏡２５側の基板２３面からの反射鏡高さが高く、第一凹面反射鏡２５とは反対側の反射鏡高さが低くなるように斜めに切断した形状にした。【選択図】図２
2008098088.tif 000002
【特許請求の範囲】
【請求項１】
遠方から近傍にかけての領域を照射範囲とする広域照明装置であって、
複数のＬＥＤ光源が実装された基板と、
前記基板上の第一のＬＥＤ光源を底部位置として配置され、該第一のＬＥＤ光源からの光を前記照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記照明範囲に向けて反射する近傍照明用の第二凹面反射鏡と、を備え、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有することを特徴とする広域照明装置。
【請求項２】
前記第一凹面反射鏡と前記第二凹面反射鏡とを複数それぞれ直線状に配列してなる第一凹面反射鏡列と第二凹面反射鏡列とが互いに平行に複数列設けられたことを特徴とする請求項１記載の広域照明装置。
【請求項３】
前記第一凹面反射鏡と前記第二凹面反射鏡が相互に千鳥配置とされたことを特徴とする請求項２記載の広域照明装置。
【請求項４】
前記第一凹面反射鏡列に配置される各第一凹面反射鏡は、列方向の配置ピッチが前記第一凹面反射鏡の平面視円形の最大直径距離よりも短く設定されたことを特徴とする請求項２又は請求項３記載の広域照明装置。
【請求項５】
前記第一凹面反射鏡及び前記第二凹面反射鏡がフレームパネルに保持されており、該フレームパネルの光照射側の表面が梨地状に形成されたことを特徴とする請求項１〜請求項４のいずれか１項記載の広域照明装置。
【請求項６】
前記第一凹面反射鏡が梨地状に形成された反射面を有することを特徴とする請求項１〜請求項５のいずれか１項記載の広域照明装置。
【請求項７】
前記第二凹面反射鏡が梨地状に形成された反射面を有することを特徴とする請求項１〜請求項６のいずれか１項記載の広域照明装置。
【請求項８】
前記第一凹面反射鏡及び前記第二凹面反射鏡の反射面が放物面で形成され、前記ＬＥＤ光源が前記放物面の焦点位置に配置されたことを特徴とする請求項１〜請求項７のいずれか１項記載の広域照明装置。
【請求項９】
前記第一凹面反射鏡列及び前記第二凹面反射鏡列に対応する各ＬＥＤ光源が、列毎に独立して光量制御可能な光量制御手段に接続されたことを特徴とする請求項２〜請求項８のいずれか１項記載の広域照明装置。
【請求項１０】
前記第一凹面反射鏡列及び前記第二凹面反射鏡列に対応する各ＬＥＤ光源は、列毎に発色の異なるものを含むことを特徴とする請求項２〜請求項９のいずれか１項記載の広域照明装置。
【請求項１１】
前記第一凹面反射鏡、前記第二凹面反射鏡の少なくともいずれかに対して、１つの反射鏡に複数個の前記ＬＥＤ光源が配設されていることを特徴とする請求項１〜請求項１０のいずれか１項記載の広域照明装置。
【請求項１２】
前記第一凹面反射鏡と前記第二凹面反射鏡とが樹脂材料により一体成形されたことを特徴とする請求項１〜請求項１１のいずれか１項記載の広域照明装置。
【請求項１３】
前記第二凹面反射鏡の光軸が、前記第一凹面反射鏡の光軸に対して傾斜していることを特徴とする請求項１〜請求項１２のいずれか１項記載の広域照明装置。
【請求項１４】
前記第一凹面反射鏡の前記第二凹面反射鏡とは反対側の反射面先端部、前記第二凹面反射鏡の前記第一凹面反射鏡側の反射面先端部の少なくともいずれかに対し、前記第一凹面反射鏡から前記第二凹面反射鏡に向けた方向に沿って前記ＬＥＤ光源からの光を反射する側方反射機能部を設けたことを特徴とする請求項１〜請求項１３のいずれか１項記載の広域照明装置。
【請求項１５】
前記側方反射機能部が、前記凹面反射鏡の反射表面から該凹面反射鏡の内側に反り返る形状を有することを特徴とする請求項１４記載の広域照明装置。
【請求項１６】
前記側方反射機能部が、前記凹面反射鏡の反射表面を梨地状に形成してなることを特徴とする請求項１４記載の広域照明装置。
【請求項１７】
前記第一凹面反射鏡の前記第二凹面反射鏡とは反対側の反射面、及び前記第二凹面反射鏡の前記第一凹面反射鏡側とは反対側の反射面に対し、各反射面先端部に前記ＬＥＤ光源からの光を光照射側に向けて反射する平面鏡を延設したことを特徴とする請求項１〜請求項１６のいずれか１項記載の広域照明装置。
【発明の詳細な説明】
【技術分野】
【０００１】
本発明は、近傍領域から遠方領域にかけて照明を行う広域照明装置に関し、例えばウォールウォッシャー等に用いて好適な照明技術に関する。
【背景技術】
【０００２】
例えば商品を陳列する店舗を始め、美術館や博物館等において、陳列・展示品を間接照明するために側壁面を上方（天井面側）から下方（床面側）までほぼ同じ照度で均一に照明するための照明器具が種々提案されている。均一に照明するためには、光の拡散作用を増強して光ムラを取り除き、壁面照明の均一度を高める手法が多く採用されている。
【０００３】
特許文献１に開示される壁面照明器具は、内部に光源が設けられた器具枠の前面部に、複数のルーバが間隔を置いて設けられる。このルーバは、相対的に光透過率が低くて光の照射方向を規制する反射拡散パネルと、相対的に光透過率が高くて反射拡散パネルの後方で光を拡散・減衰させる拡散減衰パネルとによって構成される。
【０００４】
この構成によると、相対的に光透過率の低い高反射形の反射拡散パネルが特に光の照射方向を規制する役目を果たし、光透過率の高い拡散減衰パネルが、反射拡散パネルの手前で、ルーバと交差する方向の光を拡散させ、減衰させる役目を果たす。この二種類のパネルの作用の相乗効果により、ルーバ全体として光の拡散作用と、ルーバと交差する方向の光の減衰作用が増強される。
【０００５】
これにより、例えば天井面から側壁面を照明する場合に、側壁面の上部に対してはルーバによって光が拡散し減衰して照射されることによって帯状の影を消し、光ムラの発生を防止することができる。一方、反射拡散パネルによってストレート光が側壁面下部に導かれる。拡散減衰パネルでの光拡散作用によって各ルーバが個々に疑似光源を持つ形になるため、側壁面下部に照射される光量が実質的に増加する。この二点により、拡散減衰パネルを持たないルーバを用いる場合と比較して、側壁面下部で照度が増加することになり、側壁面上部と下部の照度の均一性を高めている。
【０００６】
また、特許文献２に開示される壁面照明装置１は、図２０に示すように、点状光源３と、点状光源３の後方に所定の距離隔てて配置され、反射光線束を壁面に対して所定の角度で反射させる凹面反射鏡５と、点状光源３の前方に所定の距離隔てて凹面反射鏡５と対向・配置され、反射光線束を横切ってその反射光線束内に部分的に位置する発散レンズ７とから構成される。
【０００７】
この構成によると、点状光源３からの光は、凹面反射鏡５に当たって反射し、壁面に対して所定の角度をなした反射光線束Ｒ１となる。反射光線束Ｒ１のうちの所定部分は、発散レンズ７に当たらず、壁面上に照光され、壁面上に、被照光部分が形成される。発散レンズ７に照射する反射光線束Ｒ１の所定部分以外の部分は、発散レンズ７により散乱し、壁面上の上記被照光部分の以外の面に拡散光線束Ｒ２となって照光され、壁面上に、別の被照光部分が形成される。これにより、簡単な構造で壁面上に、所定方向に均整度の高い光を帯状に照光可能としている。
【０００８】
【特許文献１】特開平９−２７２０６号公報
【特許文献２】特開平６−６８７０１号公報
【発明の開示】
【発明が解決しようとする課題】
【０００９】
しかしながら、上記した従来の壁面照明装置は、いずれも光源からの直接光、或いは反射鏡からの反射光を、ルーバ及び反射拡散パネル、或いは発散レンズを通過させて配光するため、損失による照度低下が大きく、照明効率が悪いとともに、照明光の境界部分をなだらかに接続するキメ細かな配光制御が行い難く、照明光の境界接続部に段差の生じる問題があった。また、発散レンズを備える構成では、壁面以外にも拡散光が照射されることとなり、無駄な照射光が増大して照明エネルギーにロスが生じるとともに、他の照明光が存在する場合には、当該他の照明に悪影響を及ぼす場合があった。例えば、他の照明装置による照明領域の照度を過度に増加させたり、他の照明装置が色付き照明であれば、混色を発生させた。
本発明は上記状況に鑑みてなされたもので、エネルギーロスの少ない高効率な配光制御を可能とすることで、照明光境界接続部に段差の生じない広域照明装置を提供し、もって、遠方から近傍までの領域における照度を均等に保った状態での照明を可能とすることを目的とする。
【課題を解決するための手段】
【００１０】
本発明に係る上記目的は、下記構成により達成される。
（１）  遠方から近傍にかけての領域を照射範囲とする広域照明装置であって、
複数のＬＥＤ光源が実装された基板と、
前記基板上の第一のＬＥＤ光源を底部位置として配置され、該第一のＬＥＤ光源からの光を前記照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記照明範囲に向けて反射する近傍照明用の第二凹面反射鏡と、を備え、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有することを特徴とする広域照明装置。
【００１１】
この広域照明装置によれば、反射鏡の切断されない第一凹面反射鏡は、光軸に対称の反射面を備えることになり、ＬＥＤ光源からの直接光と、反射面によって反射した反射光とが略平行光となって遠方領域に照射される。一方、反射面の切断された第二凹面反射鏡は、光軸を挟み第一凹面反射鏡側の反射面では第一凹面反射鏡と同様に略平行光が照射され、光軸を挟むその反対側（外側）では反射面が傾斜して切除されていることにより、正面に進む反射光が徐々に減少されつつ、ＬＥＤ光源からの直接光の比率が徐々に増加されて近傍領域に対する拡散照明効果が増加する。
【００１２】
（２）  前記第一凹面反射鏡と前記第二凹面反射鏡とを複数それぞれ直線状に配列してなる第一凹面反射鏡列と第二凹面反射鏡列とが互いに平行に複数列設けられたことを特徴とする（１）記載の広域照明装置。
【００１３】
この広域照明装置によれば、第一凹面反射鏡の列と第二凹面反射鏡の列とが互いに平行に複数列設けられることで、照射可能範囲が増加し、広い面積の照明が可能となる。また、同一の照射領域で比較した場合、少数列で照射したときに比べ、多数列で照射したときの方が照度を高めることができる。さらに、多数列で照射したときの方が第二凹面反射鏡列の個々の切断傾斜勾配が緩やかとなるので、各反射鏡列による照明光境界接続部を一層目立たなくできる。
【００１４】
（３）  前記第一凹面反射鏡と前記第二凹面反射鏡が相互に千鳥配置とされたことを特徴とする（２）記載の広域照明装置。
【００１５】
この広域照明装置によれば、第一凹面反射鏡列の反射鏡同士の間に、第二凹面反射鏡列の反射鏡が近接して配置されることとなり、反射鏡列同士の離間距離が短くなって、装置のコンパクト化が可能となる。
【００１６】
（４）  前記第一凹面反射鏡列に配置される各第一凹面反射鏡は、列方向の配置ピッチが前記第一凹面反射鏡の平面視円形の最大直径距離よりも短く設定されたことを特徴とする（２）又は（３）記載の広域照明装置。
【００１７】
この広域照明装置によれば、第一凹面反射鏡列において列方向で隣接する反射鏡同士の離間距離が短くなるので、隣接するＬＥＤ光源からの光の影が小さくなり、遠方照明領域における反射鏡列方向の照度がより均一となる。
【００１８】
（５）  前記第一凹面反射鏡及び前記第二凹面反射鏡がフレームパネルに保持されており、該フレームパネルの光照射側の表面が梨地状に形成されたことを特徴とする（１）〜（４）のいずれか１項記載の広域照明装置。
【００１９】
この広域照明装置によれば、近場の壁面などに照射された光が反射によって広域照明装置へ戻された場合であっても、フレームパネルの光照射側の表面が梨地状とされることによって、戻された反射光が拡散され、反射鏡フレームパネルが鏡面の場合に生じ易い二次反射による壁面の照度ムラ（縞模様）の発生を防止できる。
【００２０】
（６）  前記第一凹面反射鏡が梨地状に形成された反射面を有することを特徴とする（１）〜（５）のいずれか１項記載の広域照明装置。
【００２１】
この広域照明装置によれば、特に遠方を照明する第一凹面反射鏡の反射面が梨地状となることで、ＬＥＤ光源からの光が梨地状反射面によって拡散され、色ムラを生じることが防止される。
【００２２】
（７）  前記第二凹面反射鏡が梨地状に形成された反射面を有することを特徴とする（１）〜（６）のいずれか１項記載の広域照明装置。
【００２３】
この広域照明装置によれば、特に近場を照明する第二凹面反射鏡の反射面が梨地状となることで、第二凹面反射鏡の傾斜切除形状による拡散照射作用に加え、ＬＥＤ光源からの反射光が梨地状反射面によってさらに拡散され、近場のより均一な照明が可能となる。つまり、拡散効果が向上して、より均等な照度の照明が可能となる。
【００２４】
（８）  前記第一凹面反射鏡及び前記第二凹面反射鏡の反射面が放物面で形成され、前記ＬＥＤ光源が前記放物面の焦点位置に配置されたことを特徴とする（１）〜（７）のいずれか１項記載の広域照明装置。
【００２５】
この広域照明装置によれば、ＬＥＤ光源からの光を放物面鏡で反射させることによって平行光化でき、特に第一凹面反射鏡による遠方の照射が高効率で可能となる。これにより、光の照射方向（近傍照射領域から遠方照射領域に向かう方向）に延びる光の帯を長く形成できる。
【００２６】
（９）  前記第一凹面反射鏡列及び前記第二凹面反射鏡列に対応する各ＬＥＤ光源が、列毎に独立して光量制御可能な光量制御手段に接続されたことを特徴とする（２）〜（８）のいずれか１項記載の広域照明装置。
【００２７】
この広域照明装置によれば、各反射鏡列におけるＬＥＤ光源列の光量を適宜増減制御することで、近傍照射領域から遠方照射領域までの照明のつなぎ目（境目）部分を周囲と連続的な照度とすることができ、照度の段差による照度ムラの発生を防止できる。これにより、前記つなぎ目部分において照度差に起因する線が発生することを確実に防止できる。また、近傍照射領域から遠方照射領域にかけて徐々に照明光の照度が変化するグラデーション照明が可能となる。例えば壁面照明であれば、天井近くを明るく、床に向けて徐々に照度が下がるようなグラデーションを形成することで、美的に優れた照明光を得ることができる。
【００２８】
（１０）  前記第一凹面反射鏡列及び前記第二凹面反射鏡列に対応する各ＬＥＤ光源は、列毎に発色の異なるものを含むことを特徴とする（２）〜（９）のいずれか１項記載の広域照明装置。
【００２９】
この広域照明装置によれば、近傍照射領域から遠方照射領域にかけて照明光の色が変化する多色照明が可能となり、美的に優れた多色ディスプレイ等が可能となる。
【００３０】
（１１）  前記第一凹面反射鏡、前記第二凹面反射鏡の少なくともいずれかに対して、１つの反射鏡に複数個の前記ＬＥＤ光源が配設されていることを特徴とする（１）〜（１０）のいずれか１項記載の広域照明装置。
【００３１】
この広域照明装置によれば、一つの反射鏡に対して複数のＬＥＤ光源が設けられ、個々のＬＥＤ光源が独立に発光制御されることで、グラデーションや多色がきめ細かに設定できる。また、近傍照射領域から遠方照射領域に向かう方向でのグラデーションや多色変化に加え、個々の反射鏡が並ぶ列方向に沿う方向（装置の幅方向、すなわち、遠近方向に延在する帯状照射領域の幅方向）でのグラデーションや多色変化も可能となる。
【００３２】
（１２）  前記第一凹面反射鏡と前記第二凹面反射鏡とが樹脂材料により一体成形されたことを特徴とする（１）〜（１１）のいずれか１項記載の広域照明装置。
【００３３】
この広域照明装置によれば、成形が簡単になり、コスト低減が図られる。また、第一凹面反射鏡列と第二凹面反射鏡列のそれぞれの列における反射鏡同士、或いは列間の反射鏡同士の相対的な光軸位置を高精度に保つことができる。これにより、照度にバラツキの生じない高品質の装置が安定的に製造可能となる。
【００３４】
（１３）  前前記第二凹面反射鏡の光軸が、前記第一凹面反射鏡の光軸に対して傾斜していることを特徴とする（１）〜（１２）のいずれか１項記載の広域照明装置。
【００３５】
この広域照明装置によれば、例えば、近傍照射領域に第二凹面反射鏡の光軸を傾ければ、近場をより高照度で照らすことができる。また、遠方照射領域に第二凹面反射鏡の光軸を傾ければ、遠方をより高照度で照らすことができるとともに、近場の照度を低下させることができる。なお、この場合においても、境目の照度段差は生じない。つまり、段差のない照明により遠方照射領域から近傍照射領域でなだらか且つ大きな照度差を得ることができる。
【００３６】
（１４）  前記第一凹面反射鏡の前記第二凹面反射鏡とは反対側の反射面先端部、前記第二凹面反射鏡の前記第一凹面反射鏡側の反射面先端部の少なくともいずれかに対し、前記第一凹面反射鏡から前記第二凹面反射鏡に向けた方向に沿って前記ＬＥＤ光源からの光を反射する側方反射機能部を設けたことを特徴とする（１）〜（１３）のいずれか１項記載の広域照明装置。
【００３７】
この広域照明装置によれば、側方反射機能部を設けたことにより側方への反射光成分が増加する。
【００３８】
（１５）  前記側方反射機能部が、前記凹面反射鏡の反射表面から該凹面反射鏡の内側に反り返る形状を有することを特徴とする（１４）記載の広域照明装置。
【００３９】
この広域照明装置によれば、内側に反り返る形状によって、ＬＥＤ光源からの光を積極的に側方へ反射させることができる。
【００４０】
（１６）前記側方反射機能部が、前記凹面反射鏡の反射表面を梨地状に形成してなることを特徴とする（１４）記載の広域照明装置。
【００４１】
この広域照明装置によれば、反射表面を梨地状にすることで、反射光が拡散光となって側方へ向かうようになる。
【００４２】
（１７）  前記第一凹面反射鏡の前記第二凹面反射鏡とは反対側の反射面、及び前記第二凹面反射鏡の前記第一凹面反射鏡側とは反対側の反射面に対し、各反射面先端部に前記ＬＥＤ光源からの光を光照射側に向けて反射する平面鏡を延設したことを特徴とする（１）〜（１６）のいずれか１項記載の広域照明装置。
【００４３】
この広域照明装置によれば、凹面反射鏡からの反射光や直接光をより平行光化することができ、一層遠くに到達させることができる。すなわち、平面鏡は第一凹面反射鏡に照射されなかったＬＥＤ光源からの光を受けて、光出射側に向けて略平行化して反射する。第一凹面反射鏡は、予め定められた反射面領域を有し、平面鏡は、この反射面領域に連続して予め定められた反射面領域を有するために、第一凹面反射鏡と平面鏡とによって反射された光は、大きな光量の平行光となって遠方照射領域に照射されることになる。
【発明の効果】
【００４４】
本発明に係る広域照明装置によれば、ＬＥＤ光源が実装された基板に配置されＬＥＤ光源からの光を反射して照射する第一凹面反射鏡と、第一凹面反射鏡に隣接して配置された第二凹面反射鏡とを備え、第二凹面反射鏡は、第一凹面反射鏡側の反射鏡高さが高く、第一凹面反射鏡と反対側の反射鏡高さが低くなるように斜めに切断した形状を有するので、第一凹面反射鏡からの反射光と直接光が遠方を照射するとともに、第二凹面反射鏡からの反射光も遠方を照射する一方、第二凹面反射鏡からの直接光が近傍領域における斜め切断方向と直交する方向に向けて拡散して照射される。これにより、エネルギーロスの少ない高効率な配光制御を行うことができ、遠方から近傍にかけての領域に対し、照度を均等に保った状態での照明が可能となる。
【発明を実施するための最良の形態】
【００４５】
以下、本発明に係る広域照明装置の好適な実施の形態について、図面を参照して詳細に説明する。
図１は本発明に係る広域照明装置を光出射側から見た平面図、図２は図１のＡ−Ａ矢視図、図３は図１に示した広域照明装置の斜視図である。
図１〜図３に示すように、本実施の形態による広域照明装置１００は、複数のＬＥＤ光源２１が実装された一枚の基板２３と、この基板２３上の第一のＬＥＤ光源を底部位置として配置され、第一のＬＥＤ光源からの光を照明範囲に向けて反射する遠方照明用の第一凹面反射鏡２５と、第一のＬＥＤ光源に隣接する第二のＬＥＤ光源を底部位置として配置され、該第二のＬＥＤ光源からの光を前記照明範囲に向けて反射する近傍照明用の第二凹面反射鏡２７と、を備え、第二凹面反射鏡２７は、第一凹面反射鏡２５側の基板２３面からの反射鏡高さが高く、第一凹面反射鏡２５とは反対側の反射鏡高さが低くなるように斜めに切断した形状を有する。この構成により、遠方から近傍にかけての領域を均等に照射することができる。
それぞれのＬＥＤ光源２１には不図示の駆動部が接続され、駆動部はＬＥＤ光源２１に発光駆動電力を供給する。この駆動部としては、例えばフルレンジトランス等を用いることができる。駆動部は商用電源に接続し、商用電源からの電力を、直流、交流、又はパルス状の駆動電圧に変換してＬＥＤ光源２１に供給する。ＬＥＤ光源２１は定電流駆動によりその輝度が設定される。
【００４６】
多数個のＬＥＤ光源２１は、基台である基板２３上に第一のＬＥＤ光源の列と第二のＬＥＤ光源の列に沿って直線的に配設される。この基板２３は、遠方照明用の第一凹面反射鏡２５及び近傍照明用の第二凹面反射鏡２７を一体成形してなる反射鏡フレームパネル２９に、係合爪３１等の係合手段によって一体に係着される。本構成のように、多列のＬＥＤ光源２１が一枚の基板に実装されることで、複数枚の基板に実装して組み合わせる場合と比較して、ＬＥＤ光源２１の光学的な位置精度を正確にすることができる。なお、図２中、３２は透明カバーを表す。
【００４７】
ＬＥＤ光源２１は、青色発光ダイオードと、この青色発光ダイオードからの青色光を黄色光に変換する蛍光体とを有する。これにより、ＬＥＤ光源２１では、青色発光ダイオードから出射された青色光が、蛍光体に吸収されると、蛍光体が波長のより短い黄色光を発し、この黄色光と吸収されなかった青色光とが混ざって、出射光が白色光となる。上記構成の他にも、青色発光ダイオードからの青色光を受けて赤色発光する蛍光体と緑色発光する蛍光体とを有する構成であってもよい。また、紫外線発光ダイオードからの紫外光を受けて赤色、緑色、青色発光する蛍光体を有する構成であってもよい。紫外線発光ダイオードは、青色発光ダイオードと比較して約２倍の発光効率であり、経済的に優れ、より高輝度の照明装置を構築できる。
【００４８】
第一凹面反射鏡２５は、光出射側が解放側となる放物面からなる反射面（放物面鏡）２５ａを複数個（本実施形態においては合計１７個）形成している。一方、第二凹面反射鏡２７は、第一凹面反射鏡２５と同様の放物面鏡２５ａを、所定の傾斜角度で切除した放物面鏡２７ａを同数形成している。第二凹面反射鏡２７は、図２に示すように、第一凹面反射鏡２５側の反射鏡高さｈ１が高く、第一凹面反射鏡２５と反対側の反射鏡高さｈ２が低くなるように斜めに切断した形状を有する。なお、切断面は、直線状であっても曲線状であってもよい。また、「切断」すすることなく、例えば透明材料で第二凹面反射鏡を形成して、反射鏡面以外の部分は透明体とする構成にしてもよい。
【００４９】
図４は凹面反射鏡の切断形状と照度との相関を表した説明図である。
凹面反射鏡は、光出射開放面Ａが光軸Ａｘと垂直である場合、ＬＥＤ光源２１からの光が放物面鏡に反射されることで、図４（ａ）に示すように、大きな光量で光軸Ａｘに沿う略平行光となって照射される。一方、斜め切断面の傾斜角度がθ１、θ２と大きくなるに伴って、光出射開放面Ｂ、光出射開放面Ｃによる側方開放面積が徐々に増加する。これにより、放物面鏡には入射せずに、図４（ｂ），（ｃ）に示すように、ＬＥＤ光源２１から直接的に側方開放面から出射される拡散光が増加するようになっている。
【００５０】
また、第一凹面反射鏡２５及び第二凹面反射鏡２７では、ＬＥＤ光源２１が放物面鏡２５ａ、放物面鏡２７ａの焦点位置に配置されている。ＬＥＤ光源２１からの光を放物面鏡２５ａ、放物面鏡２７ａで反射させることによって平行光化でき、特に第一凹面反射鏡２５での遠方の照射が可能となる。これにより、光の照射方向（近傍照射領域から遠方照射領域に向かう方向）に延びる光の帯を長く形成できるようにしている。
【００５１】
図５は反射鏡フレームパネルの拡大斜視図である。
第一凹面反射鏡２５及び第二凹面反射鏡２７の凹面部を開口させる反射鏡フレームパネル２９の表面２９ａは、梨地状に形成される。梨地状の表面２９ａによって反射された光は、巨視的に見れば鏡面反射となるが、微視的に見れば拡散して反射される。
【００５２】
反射鏡フレームパネル２９の表面を梨地状に表面処理することで、近場の壁面などに照射された光が反射によって広域照明装置１００へ戻された場合であっても、反射鏡フレームパネル２９の梨地状表面２９ａによって拡散反射され、表面２９ａが鏡面の場合に発生し易い二次反射による壁面の照度ムラ（縞模様）が防止できるようになっている。
【００５３】
放物面鏡２５ａの反射面に施されるコーティング加工面としては、例えばスパッタリングメッキによる仕上げが挙げられる。スパッタリングメッキの工程は、専用プライマーによるベースコートの塗布、真空中でのアルミ蒸着、アルミ蒸着面へのウレタンクリアーコートからなる。したがって、反射鏡フレームパネル表面２９ａの被コーティング面を、ザラザラな所謂シボ仕上げとすることにより、スパッタリングメッキ後に梨地状に形成できる。
【００５４】
また、第二凹面反射鏡２７の放物面鏡２７ａも梨地状に形成されることが望ましい。特に近場を照明する第二凹面反射鏡２７の放物面鏡２７ａが梨地状となることで、第二凹面反射鏡２７の傾斜切除形状による拡散照射作用に加え、ＬＥＤ光源２１からの反射光が梨地状放物面鏡２７ａによってさらに拡散され、近場のより均一な照明が可能となる。つまり、拡散効果が向上して、より均等な照度の照明が可能となる。
【００５５】
広域照明装置１００は、複数の第一凹面反射鏡２５又は第二凹面反射鏡２７を直線状に配列してなる列状の第一凹面反射鏡列３３と第二凹面反射鏡列３５とが、平行な任意の列数で設けられている。本実施の形態では、第一凹面反射鏡列３３と第二凹面反射鏡列３５とが１列ずつの合計２列で構成されている。このような多列構成とすることにより、照射可能範囲が増加し、広い面積の照明が可能となる。また、同一の照射領域で比較した場合、少数列で照射したときに比べ、多数列で照射したときの方が、照度を高めることができる。さらに、多数列で照射したときの方が、第二凹面反射鏡列３５の個々の切断傾斜勾配が緩やかとなるので、各反射鏡列による照明光境界接続部を一層目立たなくできる。
【００５６】
また、広域照明装置１００では、列方向に配置されるそれぞれの第一凹面反射鏡２５は、列方向の配置ピッチＰが第一凹面反射鏡２５の平面視円形の最大直径距離Ｄよりも短く設定されている。このような構成とすることにより、第一凹面反射鏡列３３において、列方向で隣接する放物面鏡２５ａ同士の離間距離が短くなるので、隣接するＬＥＤ光源２１からの光の影が小さくなり、遠方照明領域における反射鏡列方向の照度がより均一となる。さらに照明装置自体を小型化することができる。
【００５７】
さらに、第一凹面反射鏡２５の第二凹面反射鏡２７とは反対側の反射面、及び第二凹面反射鏡２７の第一凹面反射鏡２５側とは反対側の反射面に対し、各反射面先端部にＬＥＤ光源２１からの光を光照射側に向けて反射する平面鏡３７が設けられている。この平面鏡３７が延設されることにより、放物面鏡２５ａからの反射光や、ＬＥＤ光源２１からの直接光をより平行光化することができ、一層遠くに到達させることができる。すなわち、平面鏡３７は、第一凹面反射鏡２５や第二凹面反射鏡２７に照射されなかったＬＥＤ光源２１からの光を受けて、光出射側に向けて集光させながら反射する。第一凹面反射鏡２５は、予め定められた反射面領域を有し、平面鏡３７は、この反射面領域に連続する予め定められた反射面領域を有する。このため、第一凹面反射鏡２５と平面鏡３７とによって反射された光は、光量を増大させた平行光となって遠方照射領域に照射されることになる。また、第二凹面反射鏡２７についても同様である。
【００５８】
第一凹面反射鏡２５、第二凹面反射鏡２７、平面鏡３７を有する反射鏡フレームパネル２９は、樹脂材料により一体成形される。これにより、製造が簡単になり、コスト低減が図られる。また、第一凹面反射鏡列３３と第二凹面反射鏡列３５のそれぞれの列における反射鏡同士、或いは列間の反射鏡同士の相対的な光軸位置を高精度に保つことができる。この結果、照度にバラツキの生じない高品質の広域照明装置１００が安定的に製造可能となる。
【００５９】
図６は第一凹面反射鏡及び第二凹面反射鏡の配光パターンを表した説明図である。
上記の構成を備えた広域照明装置１００では、反射面の切断されない第一凹面反射鏡２５は、図６（ａ）に示すように、光軸Ａｘに対称の放物面鏡２５ａを備えることになり、ＬＥＤ光源２１からの直接光と、反射面によって反射した反射光とが略平行光となって遠方領域に照射される。一方、反射面の切断された第二凹面反射鏡２７は、図６（ｂ）に示すように、光軸Ａｘを挟み第一凹面反射鏡２５側の反射面では第一凹面反射鏡２５と同様に略平行光が照射され、光軸Ａｘを挟むその反対側では反射面が傾斜して切除されていることにより、反射光が徐々に減少されつつ、ＬＥＤ光源２１からの直接光の比率が徐々に増加される。これに加え、梨地による拡散反射光も切除部から照射される。その結果、第二凹面反射鏡２７によれば、大局的な出射方位を固定しつつ、遠方への光量を維持しながら近方への拡散光量を確保している。したがって、単に周囲に均等に拡散光を放射する構成とは異なり、照明のエネルギーロスを抑えることができる。
【００６０】
図７は壁面照明として用いられた場合の広域照明装置の照明領域を表した側面図、図８は図７の壁面に形成される照明領域の正面図である。
広域照明装置１００は、例えば壁面照明として用いられることで、第一凹面反射鏡２５による略平行光となった照射光で遠方領域Ｅ１が照射され、第二凹面反射鏡２７による直接光の比率が徐々に増加された拡散反射光で近傍領域Ｅ２が照射される。そして、遠方領域Ｅ１と近傍領域Ｅ２との境目領域Ｅ３は、照度の段差がなく繋がる。これにより、図８に示すように、遠方から近傍にかけての領域Ｅに対し、照度を均等に保った状態での照明が可能となる。
【００６１】
図９は図１に示した広域照明装置が用いられたドーム状天井の側面図である。
また、広域照明装置１００は、ドーム状の天井面３９を均一な照度で照明する場合にも好適に用いることができる。ドーム状の天井面３９の場合、図示のように、ドーム周端部に広域照明装置１００を複数設置する。それぞれの広域照明装置１００は、天井付近（遠方領域Ｅ１）を照射する第一凹面反射鏡２５、その外側（ドームの中心側）に配置され側壁面（近傍領域Ｅ２）を照射する第二凹面反射鏡２７とを有する。これにより、湾曲天井面の途中部分に照明装置を追加したり、湾曲天井面の途中部分から照明光を照射する照明装置を追加することなく、直径方向両端のみに配置した広域照明装置１００で、ドーム状天井面３９を均一照度で照明することが可能となる。
【００６２】
以上のように、上記構成による広域照明装置１００によれば、ＬＥＤ光源２１が実装された基板２３に配置されＬＥＤ光源２１からの光を反射して照射する第一凹面反射鏡２５と、第一凹面反射鏡２５に隣接して配置された第二凹面反射鏡２７とを備え、第二凹面反射鏡２７は、第一凹面反射鏡２５側の反射鏡高さｈ１が高く、第一凹面反射鏡２５と反対側の反射鏡高さｈ２が低くなるように斜めに切断した形状を有するので、第一凹面反射鏡２５からの反射光と直接光が遠方領域Ｅ１を照射するとともに、第二凹面反射鏡２７からの反射光も遠方領域Ｅ１を照射する一方、第二凹面反射鏡２７からの直接光が近傍領域Ｅ２における斜め切断方向と直交する方向に向けて拡散して照射される。これにより、ルーバやレンズを透過しないエネルギーロスの少ない高効率な配光制御を行うことができ、遠方から近傍にかけての領域Ｅに対して、照度を均等に保った状態での照明が可能となる。
【００６３】
図１０は第一凹面反射鏡と第二凹面反射鏡列が千鳥配置された変形例１の平面図である。
なお、第一凹面反射鏡２５及び第二凹面反射鏡２７は、千鳥配置としても良い。千鳥配置とした構成によれば、第一凹面反射鏡列３３の放物面鏡２５ａ同士の間に、第二凹面反射鏡列３５の放物面鏡２７ａが近接して配置されることとなり、反射鏡列同士の離間距離Ｌが短くなって、広域照明装置１００の光源密度を向上でき、コンパクト化が可能となる。
【００６４】
次に、本発明に係る広域照明装置の第２の実施の形態を説明する。
図１１は反射鏡列が複数列設けられた第２の実施の形態による広域照明装置の断面図、図１２は図１１に示した広域照明装置に接続される光量制御手段を含む電気系のブロック図、図１３は光量制御手段によって制御される駆動部の一例としての回路図である。
この実施の形態による広域照明装置２００は、一列の第一凹面反射鏡２５と、他の二列の第二凹面反射鏡２７Ａ，２７Ｂに対応する各ＬＥＤ光源列が、列毎に独立して光量制御可能な光量制御手段（制御部）４１に接続されている。
【００６５】
制御部４１は、直流電源部４３が接続され、照明パターン記憶部４５からの制御データを読み込むことで、それぞれの第一凹面反射鏡２５、第二凹面反射鏡２７Ａ，２７Ｂに対応する駆動部４７ａ，４７ｂ，４７ｃへ駆動制御信号を送出する。
【００６６】
駆動部４７ａ，４７ｂ，４７ｃは、ＬＥＤ光源２１の定電流パルス幅制御駆動回路として構成されている。図１３に示すように、例えば、駆動部４７ａにおいて、５１，５３は抵抗、５５，５７はトランジスタ、５９はツェナーダイオード、６１はパルス発生回路である。なお、図１３においては、駆動部４７ｃ以降は駆動部４７ａ，４７ｂと同様であるので、その記載は省略している。
【００６７】
この駆動部４７ａでは、直流電源部４３に抵抗５１，５３、トランジスタ５５、ツェナーダイオード５９で構成される定電流回路６３，６３をＬＥＤ光源２１と直列に接続し、ＬＥＤ光源２１を発光させる。トランジスタ５５のベース電圧はツェナーダイオード５９のツェナー電圧にクランプされ、ツェナー電圧をＶｚ、トランジスタ５９のベース・エミッタ間電圧をＶｂｅとすると、抵抗５１の電圧はＶｚ−Ｖｂｅとなり、抵抗５１を流れる電流は抵抗５１の抵抗値をＲ４とすれば（Ｖｚ−Ｖｂｅ）／Ｒ４で与えられる。ツェナー電圧Ｖｚ、ベース・エミッタ間電圧Ｖｂｅを一定とすれば、抵抗５１の電流は（Ｖｚ−Ｖｂｅ）／Ｒ４となり一定になる。すなわち、直流電圧Ｖ０或いはＬＥＤ光源２１の電圧降下が変化しても、ＬＥＤ光源２１の電流が一定になるようにトランジスタ５５のコレクタ−エミッタ間電圧が変化する。
【００６８】
ツェナーダイオード５９と並列にトランジスタ５７が接続され、トランジスタ５７のベースにはパルス発生器６１が接続されている。トランジスタ５７はパルス発生器６１からのパルス電圧でオンするとツェナーダイオード５９は短絡されるので、トランジスタ５５のベース電流は０となり、トランジスタ５５はオフとなる。すなわち、ＬＥＤ光源２１の電流は遮断されるので消灯する。パルス発生器６１からのパルス電圧がなくなると、トランジスタ５７はオフとなるのでトランジスタ５５のベースには電流が流れ、定電流回路６３はＬＥＤ光源２１に定電流を供給しＬＥＤ光源２１を点灯させる。ここで、パルス発生器６１からのパルス電圧の有りの時間と無しの時間の比を制御すること、すなわち、パルス幅制御することで、ＬＥＤ光源２１の輝度を、駆動電流を変えることなく調整することができる。
【００６９】
トランジスタ５５がオフとなるとＬＥＤ光源２１の電圧降下は期待できないので、トランジスタ５５には電源電圧が印加されることになる。電源電圧が１４０Ｖである場合はトランジスタ５５の耐圧は２００Ｖ以上が必要になる。
【００７０】
広域照明装置２００では、制御部４１によって各反射鏡列におけるＬＥＤ光源２１の光量を適宜増減制御することで、近傍照射領域から遠方照射領域までの照明のつなぎ目（境目）部分を連続的な照度とすることができ、照度の段差による照度ムラの発生を防止できる。これにより、境目において照度差に起因する線が発生することを確実に防止できる。上記のＬＥＤ光源２１の光量制御は、前述の２列構成の第１実施形態の広域照明装置１００に対しても同様に適用可能である。
【００７１】
図１４は図１１に示した広域照明装置によって照明されたグラデーション照明領域を表す模式図である。
第一凹面反射鏡２５、第二凹面反射鏡２７Ａ，２７Ｂに対応する各ＬＥＤ光源２１列を、列毎に異なる照度で設定することにより、図１４に示すように、近傍領域Ｅ２から遠方領域Ｅ１にかけて徐々に照明光の照度が変化するグラデーション照明６５が可能となる。例えば壁面照明であれば、天井近くを明るく、床に向けて徐々に照度が下がるようなグラデーションを形成することで、美的に優れた照明光を得ることができる。
【００７２】
また、第一凹面反射鏡２５、第二凹面反射鏡２７Ａ，２７Ｂに対応する各ＬＥＤ光源２１列は、列毎に異なる照度（明・暗・明や、暗・明・暗等）を、時系列的に変化させるものであってもよい。この場合には、照明する対象物の位置に応じて、照度を明るめ、暗めの任意に設定することができ、また、その照度に変化を持たせることで、照明空間におけるムード作り等に寄与できる。さらに、照明する対象物が自動的に入れ替わる等の変化がある場合に、被照明物の種類に応じた照度での照明を簡単に行うことができる。
【００７３】
図１５は図１１に示した広域照明装置によって照明された色違い照明領域を表す模式図である。
さらに、広域照明装置２００は、制御部４１により、第一凹面反射鏡２５及び第二凹面反射鏡２７Ａ，２７Ｂに対応する各ＬＥＤ光源２１を、列毎に発色が異なるように制御してもよい。これにより、近傍領域Ｅ２から遠方領域Ｅ１にかけて照明光の色が変化する多色照明領域Ｃ１，Ｃ２，Ｃ３の形成が可能となり、美的に優れた多色ディスプレイ等が可能となる。この場合、各色照明領域Ｃ１，Ｃ２，Ｃ３の境目は、混色して色が連続的に変化する。
何れの場合も、被照明対象物が近傍から遠方にかけて存在する場合に、単一の広域照明装置２００により遠近双方の領域を境目なく同時に、しかも視覚的な作用を醸しながら照らすことができる。
【００７４】
図１６は凹面反射鏡に複数のＬＥＤ光源を備えた変形例２の説明図である。
本変形例における広域照明装置は、複数のＬＥＤ光源２１を第一凹面反射鏡２５と第二凹面反射鏡２７の放物面焦点位置にそれぞれブロック状に配置している。ブロック内には、例えば縦横３個ずつの合計９個のＬＥＤ光源２１が基板２３上に実装されている。つまり、一つの反射鏡に対して複数のＬＥＤ光源２１を設けた構成としている。本例では第一凹面反射鏡２５と第二凹面反射鏡２７がそれぞれ単一の構成であるが、これに限らず、複数の反射鏡が配列されたものとしてもよい。また、本構成では、基本的に全ＬＥＤ光源２１が同時点灯されるように制御するが、各ブロックで照度を変化させる制御を行うことでもよい。また、個々のＬＥＤ光源２１が独立に発光制御されることでもよい。その場合には、グラデーションがきめ細かに設定でき、また、個々のＬＥＤ光源２１に複数の発光色の光源を用いれば、多色の照明光をきめ細かに設定できる。さらに、第一凹面反射鏡２５と第二凹面反射鏡２７のそれぞれ単一の反射面の構成である本広域照明装置を複数個配置することで、近傍照射領域から遠方照射領域に向かう方向でのグラデーションや多色変化に加え、個々の反射鏡が並ぶ列方向に沿う方向（装置の幅方向、すなわち、遠近方向に延在する帯状照射領域の幅方向）でのグラデーションや多色変化も可能となる。
【００７５】
図１７は第一凹面反射鏡に対し第二凹面反射鏡の光軸を傾けた変形例３の断面図である。
本変形例における第二凹面反射鏡２７の光軸Ａｘ１は、第一凹面反射鏡２５の光軸Ａｘ２に対して所定の角度θだけ傾斜させている。例えば、近傍照射領域に第二凹面反射鏡２７の光軸Ａｘ２を傾ければ、近傍照射領域をより高照度で照らすことができる。また、遠方照射領域に第二凹面反射鏡２７の光軸Ａｘ２を傾ければ、遠方をより高照度で照らすことができるとともに、近傍照射領域を低照度で照らせるようになる。なお、この場合においても、遠方と近傍の境目の照度段差は生じない。つまり、段差のない照明により遠方照射領域から近傍照射領域でなだらか且つ大きな照度差を得ることができる。
【００７６】
図１８は第一凹面反射鏡と第二凹面反射鏡の端部に最近傍領域に向けて反射する反り返り部を設けた変形例４の断面図である。
第一凹面反射鏡２５は、第二凹面反射鏡２７側とは反対側の外側高さｈ３は最大高さとなり、第二凹面反射鏡２７側の内側高さｈ４が、外側高さｈ３より低く形成されている。第二凹面反射鏡２７は、第一凹面反射鏡２５側の内側高さｈ４が、反対側の外側高さｈ５より高く形成され、ｈ３＞ｈ４＞ｈ５の関係を有している。
【００７７】
そして、第一凹面反射鏡２５の外側先端部と、第二凹面反射鏡２７の内側先端部には、最近傍領域に向けて反射する高さＨａ、Ｈｂの側方反射機能部としての反り返り部２５ｂ，２７ｂを形成している。反り返り部２５ｂａ，２７ｂは、各凹面反射鏡の放物線カーブから外れたオーバーハング状の曲面（あるいは平面であってもよい）であり、凹面反射鏡の内側に反り返るものとなっている。反り返り部２５ｂ、２７ｂの反射面は梨地状にされている。この反り返り部２５ｂ，２７ｂは、反射鏡先端から幅Ｈａ，Ｈｂの範囲で形成されたものであり、最近傍領域への反射光量に応じてその範囲が任意に設定される。
【００７８】
ＬＥＤ光源２１からの出射光が反り返り部２５ｂに入射すると、反り返り部２５ｂからの反射光ＬＡは、高さを低く形成された第二凹面反射鏡２７をかすめて最近傍領域に照射される。反り返り部２７ｂからの反射光ＬＢも同様に、高さｈ５の反射鏡をかすめて最近傍領域に照射される。
【００７９】
これにより、図７に示した近傍領域Ｅ２よりさらに近傍位置にある最近傍領域Ｅ４に対しても照明光で照らすことができ、照明範囲をより広範囲に設定できる。また、最近傍領域に向けて確実に照明光を当てることができるため、本広域照明装置を壁面近くに設置する必要がなくなり、壁面から離間した位置に設置することも可能となる。このため、設置自由度が向上すると共に、より遠方を十分な照度で照らすことができる。
そして、反り返り部２５ｂ，２７ｂの形状や表面処理を適宜変更することで、最近傍領域Ｅ４の照度を調整することができ、さらに、遠方領域Ｅ１と近傍領域Ｅ２との境目Ｅ３の照度も調整することができる。
【００８０】
なお、反り返り部２５ｂ，２７ｂは、いずれか一方にのみ設けてもよく、また、放物面としたまま単に高さＨＡ、ＨＢの領域を梨地状に形成することでもよい。いずれの場合も、拡散光が最近傍領域に当たり、前記同様の効果を得ることができる。
【００８１】
以上説明した広域照明装置は、上述のように単列で配置することに限らず、図１９に示すように、第一凹面反射鏡２５側を背合わせとして並列に複数組み合わせて配置する構成としてもよい。この場合には、背合わせした各広域照明装置を１つのユニットとして構成し、所望の設置場所に配設することで、遠方から近傍まで広い範囲にわたって均等な照度で照明することができる。図示例はあくまで一例であり、組み合わせる照明装置の数や向き等は、照明する環境条件に応じて任意に設定できる。
【００８２】
さらに、本発明に係る広域照明装置においては、ＬＥＤ光源の種類に応じて第一凹面反射鏡２５と第二凹面反射鏡２７の表面性状を変更することが望ましい。
ＬＥＤ光源が青色発光ダイオードと黄色発光蛍光体との組み合わせ、及び、青色発光ダイオードと赤色・緑色発光蛍光体との組み合わせである場合には、第一凹面反射鏡２５と第二凹面反射鏡２７の表面を梨地状にすることが好ましく、これにより、ＬＥＤ光源単体（反射板なし）の照度と比較して４倍以上の照度が確保できる。
一方、ＬＥＤ光源が紫外線発光ダイオードと赤色・緑色・青色発光蛍光体との組み合わせである場合には、第一凹面反射鏡２５の表面を鏡面、第二凹面反射鏡２７の表面を梨地状にすることが好ましい。これにより、特に第一凹面反射鏡２５によって約２０倍の照度アップが図られて、かつ出射する照明光に色ムラを生じさせることがない。
【図面の簡単な説明】
【００８３】
【図１】図１は本発明に係る広域照明装置を光出射側から見た平面図である。
【図２】図１のＡ−Ａ矢視図である。
【図３】図１に示した広域照明装置の斜視図である。
【図４】凹面反射鏡の切断形状と照度との相関を表した説明図である。
【図５】反射鏡フレームパネルの拡大斜視図である。
【図６】第一凹面反射鏡及び第二凹面反射鏡の配光パターンを表した説明図である。
【図７】壁面照明として用いられた場合の広域照明装置の照明領域を表した側面図である。
【図８】図７の壁面に形成される照明領域の正面図である。
【図９】図１に示した広域照明装置が用いられたドーム状天井の側面図である。
【図１０】第一凹面反射鏡と第二凹面反射鏡列が千鳥配置された変形例１の平面図である。
【図１１】反射鏡列が複数列設けられた第２の実施の形態による広域照明装置の断面図である。
【図１２】図１１に示した広域照明装置に接続される光量制御手段を含む電気系のブロック図である。
【図１３】光量制御手段によって制御される駆動部の回路図である。
【図１４】図１１に示した広域照明装置によって照明されたグラデーション照明領域を表す模式図である。
【図１５】図１１に示した広域照明装置によって照明された色違い照明領域を表す模式図である。
【図１６】凹面反射鏡に複数のＬＥＤ光源を備えた変形例２の説明図である。
【図１７】第一凹面反射鏡に対し第二凹面反射鏡の光軸を傾けた変形例３の断面図である。
【図１８】第一凹面反射鏡と第二凹面反射鏡の端部に最近傍領域に向けて反射する反り返り部を設けた変形例４の断面図である。
【図１９】第一凹面反射鏡側を背合わせとして並列に複数組み合わせて配置する構成例を示す模式図である。
【図２０】従来の照明装置の模式図である。
【符号の説明】
【００８４】
２１  ＬＥＤ光源
２３  基板
２５  第一凹面反射鏡
２５ａ，２７ａ  放物面鏡
２７  第二凹面反射鏡
２９  反射鏡フレームパネル
３３  第一凹面反射鏡列
３５  第二凹面反射鏡列
３７  平面鏡
４１  制御部（光量制御手段）
１００，２００  広域照明装置
Ａｘ１  第一凹面反射鏡の光軸
Ａｘ２  第二凹面反射鏡の光軸
Ｄ  直径距離
ｈ１  第一凹面反射鏡側の反射鏡高さ
ｈ２  第一凹面反射鏡と反対側の反射鏡高さ
Ｐ  列方向の配置ピッチ
【図１】
2008098088.tif 000003
【図２】
2008098088.tif 000004
【図３】
2008098088.tif 000005
【図４】
2008098088.tif 000006
【図５】
2008098088.tif 000007
【図６】
2008098088.tif 000008
【図７】
2008098088.tif 000009
【図８】
2008098088.tif 000010
【図９】
2008098088.tif 000011
【図１０】
2008098088.tif 000012
【図１１】
2008098088.tif 000013
【図１２】
2008098088.tif 000014
【図１３】
2008098088.tif 000015
【図１４】
2008098088.tif 000016
【図１５】
2008098088.tif 000017
【図１６】
2008098088.tif 000018
【図１７】
2008098088.tif 000019
【図１８】
2008098088.tif 000020
【図１９】
2008098088.tif 000021
【図２０】
2008098088.tif 000022
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
遠方から近傍にかけての領域を照射範囲とする広域照明装置であって、
複数のＬＥＤ光源が実装された基板と、
前記基板上の第一のＬＥＤ光源を底部位置として配置され、該第一のＬＥＤ光源からの光を前記照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記照明範囲に向けて反射する近傍照明用の第二凹面反射鏡と、を備え、
前記第一凹面反射鏡を直線状に複数配列してなる第一凹面反射鏡列と、前記第二凹面反射鏡を直線状に複数配列してなる第二凹面反射鏡列とが互いに平行に設けられ、
前記第一凹面反射鏡列に配置される各第一凹面反射鏡は、列方向の配置ピッチを前記第一凹面反射鏡の平面視円形の最大直径距離よりも短く設定して、隣接する前記第一凹面反射鏡の凹面同士が重なった部分を終端縁とし、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有することを特徴とする広域照明装置。
【請求項２】
前記第一凹面反射鏡と前記第二凹面反射鏡が相互に千鳥配置とされたことを特徴とする請求項１記載の広域照明装置。
【請求項３】
前記第一凹面反射鏡及び前記第二凹面反射鏡がフレームパネルに保持されており、該フレームパネルの光照射側の表面が梨地状に形成されたことを特徴とする請求項１または請求項２記載の広域照明装置。
【請求項４】
前記第一凹面反射鏡が梨地状に形成された反射面を有することを特徴とする請求項１〜請求項３のいずれか１項記載の広域照明装置。
【請求項５】
前記第二凹面反射鏡が梨地状に形成された反射面を有することを特徴とする請求項１〜請求項４のいずれか１項記載の広域照明装置。
【請求項６】
前記第一凹面反射鏡及び前記第二凹面反射鏡の反射面が放物面で形成され、前記ＬＥＤ光源が前記放物面の焦点位置に配置されたことを特徴とする請求項１〜請求項５のいずれか１項記載の広域照明装置。
【請求項７】
前記第一凹面反射鏡列及び前記第二凹面反射鏡列に対応する各ＬＥＤ光源が、列毎に独立して光量制御可能な光量制御手段に接続されたことを特徴とする請求項１〜請求項６のいずれか１項記載の広域照明装置。
【請求項８】
前記第一凹面反射鏡列及び前記第二凹面反射鏡列に対応する各ＬＥＤ光源は、列毎に発色の異なるものを含むことを特徴とする請求項１〜請求項７のいずれか１項記載の広域照明装置。
【請求項９】
前記第一凹面反射鏡、前記第二凹面反射鏡の少なくともいずれかに対して、１つの反射鏡に複数個の前記ＬＥＤ光源が配設されていることを特徴とする請求項１〜請求項８のいずれか１項記載の広域照明装置。
【請求項１０】
前記第一凹面反射鏡と前記第二凹面反射鏡とが樹脂材料により一体成形されたことを特徴とする請求項１〜請求項９のいずれか１項記載の広域照明装置。
【請求項１１】
前記第二凹面反射鏡の光軸が、前記第一凹面反射鏡の光軸に対して傾斜していることを特徴とする請求項１〜請求項１０のいずれか１項記載の広域照明装置。
【請求項１２】
前記第一凹面反射鏡の前記第二凹面反射鏡とは反対側の反射面先端部、前記第二凹面反射鏡の前記第一凹面反射鏡側の反射面先端部の少なくともいずれかに対し、前記第一凹面反射鏡から前記第二凹面反射鏡に向けた方向に沿って前記ＬＥＤ光源からの光を反射する側方反射機能部を設けたことを特徴とする請求項１〜請求項１１のいずれか１項記載の広域照明装置。
【請求項１３】
前記側方反射機能部が、前記第一および第二凹面反射鏡の反射表面からそれぞれの凹面反射鏡の内側に反り返る反り返り部を有することを特徴とする請求項１２記載の広域照明装置。
【請求項１４】
前記反り返り部の反射表面が、梨地状に形成されたことを特徴とする請求項１３記載の広域照明装置。
【請求項１５】
前記第一凹面反射鏡の前記第二凹面反射鏡とは反対側の反射面、及び前記第二凹面反射鏡の前記第一凹面反射鏡側とは反対側の反射面に対し、各反射面先端部に前記ＬＥＤ光源からの光を光照射側に向けて反射する平面鏡を延設したことを特徴とする請求項１〜請求項１４のいずれか１項記載の広域照明装置。
【手続補正２】
【補正対象書類名】明細書
【補正対象項目名】００１０
【補正方法】変更
【補正の内容】
【００１０】
本発明に係る上記目的は、下記構成により達成される。
（１）  遠方から近傍にかけての領域を照射範囲とする広域照明装置であって、
複数のＬＥＤ光源が実装された基板と、
前記基板上の第一のＬＥＤ光源を底部位置として配置され、該第一のＬＥＤ光源からの光を前記照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記照明範囲に向けて反射する近傍照明用の第二凹面反射鏡と、を備え、
前記第一凹面反射鏡を直線状に複数配列してなる第一凹面反射鏡列と、前記第二凹面反射鏡を直線状に複数配列してなる第二凹面反射鏡列とが互いに平行に設けられ、
前記第一凹面反射鏡列に配置される各第一凹面反射鏡は、列方向の配置ピッチを前記第一凹面反射鏡の平面視円形の最大直径距離よりも短く設定して、隣接する前記第一凹面反射鏡の凹面同士が重なった部分を終端縁とし、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有することを特徴とする広域照明装置。
【手続補正３】
【補正対象書類名】明細書
【補正対象項目名】００１１
【補正方法】変更
【補正の内容】
【００１１】
この広域照明装置によれば、反射鏡の切断されない第一凹面反射鏡は、光軸に対称の反射面を備えることになり、ＬＥＤ光源からの直接光と、反射面によって反射した反射光とが略平行光となって遠方領域に照射される。一方、反射面の切断された第二凹面反射鏡は、光軸を挟み第一凹面反射鏡側の反射面では第一凹面反射鏡と同様に略平行光が照射され、光軸を挟むその反対側（外側）では反射面が傾斜して切除されていることにより、正面に進む反射光が徐々に減少されつつ、ＬＥＤ光源からの直接光の比率が徐々に増加されて近傍領域に対する拡散照明効果が増加する。
また、第一凹面反射鏡の列と第二凹面反射鏡の列とが互いに平行に複数列設けられることで、照射可能範囲が増加し、広い面積の照明が可能となる。また、同一の照射領域で比較した場合、少数列で照射したときに比べ、多数列で照射したときの方が照度を高めることができる。さらに、多数列で照射したときの方が第二凹面反射鏡列の個々の切断傾斜勾配が緩やかとなるので、各反射鏡列による照明光境界接続部を一層目立たなくできる。
また、第一凹面反射鏡列において列方向で隣接する反射鏡同士の離間距離が短くなるので、隣接するＬＥＤ光源からの光の影が小さくなり、遠方照明領域における反射鏡列方向の照度がより均一となる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（２）  前記第一凹面反射鏡と前記第二凹面反射鏡が相互に千鳥配置とされたことを特徴とする（１）記載の広域照明装置。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
（３）  前記第一凹面反射鏡及び前記第二凹面反射鏡がフレームパネルに保持されており、該フレームパネルの光照射側の表面が梨地状に形成されたことを特徴とする（１）または（２）記載の広域照明装置。
【手続補正１０】
【補正対象書類名】明細書
【補正対象項目名】００２０
【補正方法】変更
【補正の内容】
【００２０】
（４）  前記第一凹面反射鏡が梨地状に形成された反射面を有することを特徴とする（１）〜（３）のいずれか１項記載の広域照明装置。
【手続補正１１】
【補正対象書類名】明細書
【補正対象項目名】００２２
【補正方法】変更
【補正の内容】
【００２２】
（５）  前記第二凹面反射鏡が梨地状に形成された反射面を有することを特徴とする（１）〜（４）のいずれか１項記載の広域照明装置。
【手続補正１２】
【補正対象書類名】明細書
【補正対象項目名】００２４
【補正方法】変更
【補正の内容】
【００２４】
（６）  前記第一凹面反射鏡及び前記第二凹面反射鏡の反射面が放物面で形成され、前記ＬＥＤ光源が前記放物面の焦点位置に配置されたことを特徴とする（１）〜（５）のいずれか１項記載の広域照明装置。
【手続補正１３】
【補正対象書類名】明細書
【補正対象項目名】００２６
【補正方法】変更
【補正の内容】
【００２６】
（７）  前記第一凹面反射鏡列及び前記第二凹面反射鏡列に対応する各ＬＥＤ光源が、列毎に独立して光量制御可能な光量制御手段に接続されたことを特徴とする（１）〜（６）のいずれか１項記載の広域照明装置。
【手続補正１４】
【補正対象書類名】明細書
【補正対象項目名】００２８
【補正方法】変更
【補正の内容】
【００２８】
（８）  前記第一凹面反射鏡列及び前記第二凹面反射鏡列に対応する各ＬＥＤ光源は、列毎に発色の異なるものを含むことを特徴とする（１）〜（７）のいずれか１項記載の広域照明装置。
【手続補正１５】
【補正対象書類名】明細書
【補正対象項目名】００３０
【補正方法】変更
【補正の内容】
【００３０】
（９）  前記第一凹面反射鏡、前記第二凹面反射鏡の少なくともいずれかに対して、１つの反射鏡に複数個の前記ＬＥＤ光源が配設されていることを特徴とする（１）〜（８）のいずれか１項記載の広域照明装置。
【手続補正１６】
【補正対象書類名】明細書
【補正対象項目名】００３２
【補正方法】変更
【補正の内容】
【００３２】
（１０）  前記第一凹面反射鏡と前記第二凹面反射鏡とが樹脂材料により一体成形されたことを特徴とする（１）〜（９）のいずれか１項記載の広域照明装置。
【手続補正１７】
【補正対象書類名】明細書
【補正対象項目名】００３４
【補正方法】変更
【補正の内容】
【００３４】
（１１）  前前記第二凹面反射鏡の光軸が、前記第一凹面反射鏡の光軸に対して傾斜していることを特徴とする（１）〜（１０）のいずれか１項記載の広域照明装置。
【手続補正１８】
【補正対象書類名】明細書
【補正対象項目名】００３６
【補正方法】変更
【補正の内容】
【００３６】
（１２）  前記第一凹面反射鏡の前記第二凹面反射鏡とは反対側の反射面先端部、前記第二凹面反射鏡の前記第一凹面反射鏡側の反射面先端部の少なくともいずれかに対し、前記第一凹面反射鏡から前記第二凹面反射鏡に向けた方向に沿って前記ＬＥＤ光源からの光を反射する側方反射機能部を設けたことを特徴とする（１）〜（１１）のいずれか１項記載の広域照明装置。
【手続補正１９】
【補正対象書類名】明細書
【補正対象項目名】００３８
【補正方法】変更
【補正の内容】
【００３８】
（１３）  前記側方反射機能部が、前記第一および第二凹面反射鏡の反射表面からそれぞれの凹面反射鏡の内側に反り返る反り返り部を有することを特徴とする（１２）記載の広域照明装置。
【手続補正２０】
【補正対象書類名】明細書
【補正対象項目名】００４０
【補正方法】変更
【補正の内容】
【００４０】
（１４）  前記反り返り部の反射表面が、梨地状に形成されたことを特徴とする（１３）記載の広域照明装置。
【手続補正２１】
【補正対象書類名】明細書
【補正対象項目名】００４２
【補正方法】変更
【補正の内容】
【００４２】
（１５)  前記第一凹面反射鏡の前記第二凹面反射鏡とは反対側の反射面、及び前記第二凹面反射鏡の前記第一凹面反射鏡側とは反対側の反射面に対し、各反射面先端部に前記ＬＥＤ光源からの光を光照射側に向けて反射する平面鏡を延設したことを特徴とする（１）〜（１４）のいずれか１項記載の広域照明装置。
【手続補正２２】
【補正対象書類名】明細書
【補正対象項目名】００４４
【補正方法】変更
【補正の内容】
【００４４】
本発明に係る広域照明装置によれば、ＬＥＤ光源が実装された基板に配置されＬＥＤ光源からの光を反射して照射する第一凹面反射鏡と、第一凹面反射鏡に隣接して配置された第二凹面反射鏡とを備え、第二凹面反射鏡は、第一凹面反射鏡側の反射鏡高さが高く、第一凹面反射鏡と反対側の反射鏡高さが低くなるように斜めに切断した形状を有するので、第一凹面反射鏡からの反射光と直接光が遠方を照射するとともに、第二凹面反射鏡からの反射光も遠方を照射する一方、第二凹面反射鏡からの直接光が近傍領域における斜め切断方向と直交する方向に向けて拡散して照射される。そして、第一凹面反射鏡列において列方向で隣接する反射鏡同士の離間距離が短くなるので、隣接するＬＥＤ光源からの光の影が小さくなり、遠方照明領域における反射鏡列方向の照度がより均一となる。これにより、エネルギーロスの少ない高効率な配光制御を行うことができ、遠方から近傍にかけての領域に対し、照度を均等に保った状態での照明が可能となる。
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
遠方から近傍にかけての領域を照射範囲とする壁面照明用の広域照明装置であって、
複数のＬＥＤ光源が実装された基板と、
前記基板上の第一のＬＥＤ光源を底部位置として配置され、該第一のＬＥＤ光源からの光を前記遠方の照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記近傍の照明範囲に向けて反射する近傍照明用の第二凹面反射鏡と、を備え、
前記第一凹面反射鏡を直線状に複数配列してなる第一凹面反射鏡列と、前記第二凹面反射鏡を直線状に複数配列してなる第二凹面反射鏡列とが互いに平行に設けられ、
前記第一凹面反射鏡列に配置される各第一凹面反射鏡は、列方向の配置ピッチを前記第一凹面反射鏡の平面視円形の最大直径距離よりも短く設定して、隣接する前記第一凹面反射鏡の凹面同士が重なった部分を終端縁とし、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有し、
前記壁面に、該壁面側から前記第二凹面反射鏡列、前記第一凹面反射鏡列がこの順で配置されたことを特徴とする広域照明装置。
【請求項２】
遠方から近傍にかけての領域を照射範囲とするドーム状天井面照明用の広域照明装置であって、
複数のＬＥＤ光源が実装された基板と、
前記基板上の第一のＬＥＤ光源を底部位置として配置され、該第一のＬＥＤ光源からの光を前記遠方の照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記近傍の照明範囲に向けて反射する近傍照明用の第二凹面反射鏡と、を備え、
前記第一凹面反射鏡を直線状に複数配列してなる第一凹面反射鏡列と、前記第二凹面反射鏡を直線状に複数配列してなる第二凹面反射鏡列とが互いに平行に設けられ、
前記第一凹面反射鏡列に配置される各第一凹面反射鏡は、列方向の配置ピッチを前記第一凹面反射鏡の平面視円形の最大直径距離よりも短く設定して、隣接する前記第一凹面反射鏡の凹面同士が重なった部分を終端縁とし、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有し、
前記ドームの周端部に、該周端部側から前記第二凹面反射鏡列、前記第一凹面反射鏡列がこの順で配置されたことを特徴とする広域照明装置。
【請求項３】
前記第一凹面反射鏡と前記第二凹面反射鏡が相互に千鳥配置とされたことを特徴とする請求項１または請求項２記載の広域照明装置。
【請求項４】
前記第一凹面反射鏡及び前記第二凹面反射鏡がフレームパネルに保持されており、該フレームパネルの光照射側の表面が梨地状に形成されたことを特徴とする請求項１〜請求項３のいずれか１項記載の広域照明装置。
【請求項５】
前記第一凹面反射鏡が梨地状に形成された反射面を有することを特徴とする請求項１〜請求項４のいずれか１項記載の広域照明装置。
【請求項６】
前記第二凹面反射鏡が梨地状に形成された反射面を有することを特徴とする請求項１〜請求項５のいずれか１項記載の広域照明装置。
【請求項７】
前記第一凹面反射鏡及び前記第二凹面反射鏡の反射面が放物面で形成され、前記ＬＥＤ光源が前記放物面の焦点位置に配置されたことを特徴とする請求項１〜請求項６のいずれか１項記載の広域照明装置。
【請求項８】
前記第一凹面反射鏡列及び前記第二凹面反射鏡列に対応する各ＬＥＤ光源が、列毎に独立して光量制御可能な光量制御手段に接続されたことを特徴とする請求項１〜請求項７のいずれか１項記載の広域照明装置。
【請求項９】
前記第一凹面反射鏡列及び前記第二凹面反射鏡列に対応する各ＬＥＤ光源は、列毎に発色の異なるものを含むことを特徴とする請求項１〜請求項８のいずれか１項記載の広域照明装置。
【請求項１０】
前記第一凹面反射鏡、前記第二凹面反射鏡の少なくともいずれかに対して、１つの反射鏡に複数個の前記ＬＥＤ光源が配設されていることを特徴とする請求項１〜請求項９のいずれか１項記載の広域照明装置。
【請求項１１】
前記第一凹面反射鏡と前記第二凹面反射鏡とが樹脂材料により一体成形されたことを特徴とする請求項１〜請求項１０のいずれか１項記載の広域照明装置。
【請求項１２】
前記第二凹面反射鏡の光軸が、前記第一凹面反射鏡の光軸に対して傾斜していることを特徴とする請求項１〜請求項１１のいずれか１項記載の広域照明装置。
【請求項１３】
前記第一凹面反射鏡の前記第二凹面反射鏡とは反対側の反射面先端部、前記第二凹面反射鏡の前記第一凹面反射鏡側の反射面先端部の少なくともいずれかに対し、前記第一凹面反射鏡から前記第二凹面反射鏡に向けた方向に沿って前記ＬＥＤ光源からの光を反射する側方反射機能部を設けたことを特徴とする請求項１〜請求項１２のいずれか１項記載の広域照明装置。
【請求項１４】
前記側方反射機能部が、前記第一および第二凹面反射鏡の反射表面からそれぞれの凹面反射鏡の内側に反り返る反り返り部を有することを特徴とする請求項１３記載の広域照明装置。
【請求項１５】
前記反り返り部の反射表面が、梨地状に形成されたことを特徴とする請求項１４記載の広域照明装置。
【請求項１６】
前記第一凹面反射鏡の前記第二凹面反射鏡とは反対側の反射面、及び前記第二凹面反射鏡の前記第一凹面反射鏡側とは反対側の反射面に対し、各反射面先端部に前記ＬＥＤ光源からの光を光照射側に向けて反射する平面鏡を延設したことを特徴とする請求項１〜請求項１５のいずれか１項記載の広域照明装置。
【手続補正２】
【補正対象書類名】明細書
【補正対象項目名】００１０
【補正方法】変更
【補正の内容】
【００１０】
本発明に係る上記目的は、下記構成により達成される。
（１）    遠方から近傍にかけての領域を照射範囲とする壁面照明用の広域照明装置であって、
複数のＬＥＤ光源が実装された基板と、
前記基板上の第一のＬＥＤ光源を底部位置として配置され、該第一のＬＥＤ光源からの光を前記遠方の照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記近傍の照明範囲に向けて反射する近傍照明用の第二凹面反射鏡と、を備え、
前記第一凹面反射鏡を直線状に複数配列してなる第一凹面反射鏡列と、前記第二凹面反射鏡を直線状に複数配列してなる第二凹面反射鏡列とが互いに平行に設けられ、
前記第一凹面反射鏡列に配置される各第一凹面反射鏡は、列方向の配置ピッチを前記第一凹面反射鏡の平面視円形の最大直径距離よりも短く設定して、隣接する前記第一凹面反射鏡の凹面同士が重なった部分を終端縁とし、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有し、
前記壁面に、該壁面側から前記第二凹面反射鏡列、前記第一凹面反射鏡列がこの順で配置されたことを特徴とする広域照明装置。
（２）  遠方から近傍にかけての領域を照射範囲とするドーム状天井面照明用の広域照明装置であって、
複数のＬＥＤ光源が実装された基板と、
前記基板上の第一のＬＥＤ光源を底部位置として配置され、該第一のＬＥＤ光源からの光を前記遠方の照明範囲に向けて反射する遠方照明用の第一凹面反射鏡と、
前記第一のＬＥＤ光源に隣接する第二のＬＥＤ光源を底部位置として配置され、該第二のＬＥＤ光源からの光を前記近傍の照明範囲に向けて反射する近傍照明用の第二凹面反射鏡と、を備え、
前記第一凹面反射鏡を直線状に複数配列してなる第一凹面反射鏡列と、前記第二凹面反射鏡を直線状に複数配列してなる第二凹面反射鏡列とが互いに平行に設けられ、
前記第一凹面反射鏡列に配置される各第一凹面反射鏡は、列方向の配置ピッチを前記第一凹面反射鏡の平面視円形の最大直径距離よりも短く設定して、隣接する前記第一凹面反射鏡の凹面同士が重なった部分を終端縁とし、
前記第二凹面反射鏡は、前記第一凹面反射鏡側の前記基板面からの反射鏡高さが高く、前記第一凹面反射鏡とは反対側の反射鏡高さが低くなるように斜めに切断した形状を有し、
前記ドームの周端部に、該周端部側から前記第二凹面反射鏡列、前記第一凹面反射鏡列がこの順で配置されたことを特徴とする広域照明装置。
【手続補正３】
【補正対象書類名】明細書
【補正対象項目名】００１１
【補正方法】変更
【補正の内容】
【００１１】
この広域照明装置によれば、反射鏡の切断されない第一凹面反射鏡は、光軸に対称の反射面を備えることになり、ＬＥＤ光源からの直接光と、反射面によって反射した反射光とが略平行光となって遠方領域に照射される。一方、反射面の切断された第二凹面反射鏡は、光軸を挟み第一凹面反射鏡側の反射面では第一凹面反射鏡と同様に略平行光が照射され、光軸を挟むその反対側（外側）では反射面が傾斜して切除されていることにより、正面に進む反射光が徐々に減少されつつ、ＬＥＤ光源からの直接光の比率が徐々に増加されて近傍領域に対する拡散照明効果が増加する。
また、第一凹面反射鏡の列と第二凹面反射鏡の列とが互いに平行に複数列設けられることで、照射可能範囲が増加し、広い面積の照明が可能となる。また、同一の照射領域で比較した場合、少数列で照射したときに比べ、多数列で照射したときの方が照度を高めることができる。さらに、多数列で照射したときの方が第二凹面反射鏡列の個々の切断傾斜勾配が緩やかとなるので、各反射鏡列による照明光境界接続部を一層目立たなくできる。
また、第一凹面反射鏡列において列方向で隣接する反射鏡同士の離間距離が短くなるので、隣接するＬＥＤ光源からの光の影が小さくなり、遠方照明領域における反射鏡列方向の照度がより均一となる。
【手続補正４】
【補正対象書類名】明細書
【補正対象項目名】００１４
【補正方法】変更
【補正の内容】
【００１４】
（３）  前記第一凹面反射鏡と前記第二凹面反射鏡が相互に千鳥配置とされたことを特徴とする（１）または（２）記載の広域照明装置。
【手続補正５】
【補正対象書類名】明細書
【補正対象項目名】００１８
【補正方法】変更
【補正の内容】
【００１８】
（４）  前記第一凹面反射鏡及び前記第二凹面反射鏡がフレームパネルに保持されており、該フレームパネルの光照射側の表面が梨地状に形成されたことを特徴とする（１）〜（３）のいずれか１項記載の広域照明装置。
【手続補正６】
【補正対象書類名】明細書
【補正対象項目名】００２０
【補正方法】変更
【補正の内容】
【００２０】
（５）  前記第一凹面反射鏡が梨地状に形成された反射面を有することを特徴とする（１）〜（４）のいずれか１項記載の広域照明装置。
【手続補正７】
【補正対象書類名】明細書
【補正対象項目名】００２２
【補正方法】変更
【補正の内容】
【００２２】
（６）  前記第二凹面反射鏡が梨地状に形成された反射面を有することを特徴とする（１）〜（５）のいずれか１項記載の広域照明装置。
【手続補正８】
【補正対象書類名】明細書
【補正対象項目名】００２４
【補正方法】変更
【補正の内容】
【００２４】
（７）  前記第一凹面反射鏡及び前記第二凹面反射鏡の反射面が放物面で形成され、前記ＬＥＤ光源が前記放物面の焦点位置に配置されたことを特徴とする（１）〜（６）のいずれか１項記載の広域照明装置。
【手続補正９】
【補正対象書類名】明細書
【補正対象項目名】００２６
【補正方法】変更
【補正の内容】
【００２６】
（８）  前記第一凹面反射鏡列及び前記第二凹面反射鏡列に対応する各ＬＥＤ光源が、列毎に独立して光量制御可能な光量制御手段に接続されたことを特徴とする（１）〜（７）のいずれか１項記載の広域照明装置。
【手続補正１０】
【補正対象書類名】明細書
【補正対象項目名】００２８
【補正方法】変更
【補正の内容】
【００２８】
（９）  前記第一凹面反射鏡列及び前記第二凹面反射鏡列に対応する各ＬＥＤ光源は、列毎に発色の異なるものを含むことを特徴とする（１）〜（８）のいずれか１項記載の広域照明装置。
【手続補正１１】
【補正対象書類名】明細書
【補正対象項目名】００３０
【補正方法】変更
【補正の内容】
【００３０】
（１０）  前記第一凹面反射鏡、前記第二凹面反射鏡の少なくともいずれかに対して、１つの反射鏡に複数個の前記ＬＥＤ光源が配設されていることを特徴とする（１）〜（９）のいずれか１項記載の広域照明装置。
【手続補正１２】
【補正対象書類名】明細書
【補正対象項目名】００３２
【補正方法】変更
【補正の内容】
【００３２】
（１１）  前記第一凹面反射鏡と前記第二凹面反射鏡とが樹脂材料により一体成形されたことを特徴とする（１）〜（１０）のいずれか１項記載の広域照明装置。
【手続補正１３】
【補正対象書類名】明細書
【補正対象項目名】００３４
【補正方法】変更
【補正の内容】
【００３４】
（１２）  前前記第二凹面反射鏡の光軸が、前記第一凹面反射鏡の光軸に対して傾斜していることを特徴とする（１）〜（１１）のいずれか１項記載の広域照明装置。
【手続補正１４】
【補正対象書類名】明細書
【補正対象項目名】００３６
【補正方法】変更
【補正の内容】
【００３６】
（１３）  前記第一凹面反射鏡の前記第二凹面反射鏡とは反対側の反射面先端部、前記第二凹面反射鏡の前記第一凹面反射鏡側の反射面先端部の少なくともいずれかに対し、前記第一凹面反射鏡から前記第二凹面反射鏡に向けた方向に沿って前記ＬＥＤ光源からの光を反射する側方反射機能部を設けたことを特徴とする（１）〜（１２）のいずれか１項記載の広域照明装置。
【手続補正１５】
【補正対象書類名】明細書
【補正対象項目名】００３８
【補正方法】変更
【補正の内容】
【００３８】
（１４）  前記側方反射機能部が、前記第一および第二凹面反射鏡の反射表面からそれぞれの凹面反射鏡の内側に反り返る反り返り部を有することを特徴とする（１３）記載の広域照明装置。
【手続補正１６】
【補正対象書類名】明細書
【補正対象項目名】００４０
【補正方法】変更
【補正の内容】
【００４０】
（１５）  前記反り返り部の反射表面が、梨地状に形成されたことを特徴とする（１４）記載の広域照明装置。
【手続補正１７】
【補正対象書類名】明細書
【補正対象項目名】００４２
【補正方法】変更
【補正の内容】
【００４２】
（１６)  前記第一凹面反射鏡の前記第二凹面反射鏡とは反対側の反射面、及び前記第二凹面反射鏡の前記第一凹面反射鏡側とは反対側の反射面に対し、各反射面先端部に前記ＬＥＤ光源からの光を光照射側に向けて反射する平面鏡を延設したことを特徴とする（１）〜（１５）のいずれか１項記載の広域照明装置。
【手続補正１８】
【補正対象書類名】明細書
【補正対象項目名】００４４
【補正方法】変更
【補正の内容】
【００４４】
本発明に係る広域照明装置によれば、ＬＥＤ光源が実装された基板に配置されＬＥＤ光源からの光を反射して照射する第一凹面反射鏡と、第一凹面反射鏡に隣接して配置された第二凹面反射鏡とを備え、第二凹面反射鏡は、第一凹面反射鏡側の反射鏡高さが高く、第一凹面反射鏡と反対側の反射鏡高さが低くなるように斜めに切断した形状を有するので、第一凹面反射鏡からの反射光と直接光が遠方を照射するとともに、第二凹面反射鏡からの反射光も遠方を照射する一方、第二凹面反射鏡からの直接光が近傍領域における斜め切断方向と直交する方向に向けて拡散して照射される。そして、第一凹面反射鏡列において列方向で隣接する反射鏡同士の離間距離が短くなるので、隣接するＬＥＤ光源からの光の影が小さくなり、遠方照明領域における反射鏡列方向の照度がより均一となる。これにより、エネルギーロスの少ない高効率な配光制御を行うことができ、壁面やドーム状天井面を遠方から近傍にかけての領域に対し、照度を均等に保った状態での照明が可能となる。